(57)【特許請求の範囲】
【請求項１】
放電灯を装着するソケット部と、
前記ソケット部の外周部に配設した高電圧発生用トランスと、
前記ソケット部の外周部に配設した高電圧発生用回路構成部品とを備え、
前記高電圧用トランスは、円弧状コアと当該円弧状コアの外周に設けた円弧状ボビンとを有し、
前記円弧状ボビンには、コイルを巻き付けるための溝が形成されたことを特徴とする放電灯点灯装置。
【請求項２】
前記円弧状ボビンの溝を内周部には設けないことを特徴とする請求の範囲第１項記載の放電灯点灯装置。
【請求項３】
前記円弧状コアは、円弧状に折り曲げた積層コアであり、
前記円弧系ボビンには、１次コイルおよび２次コイルが巻き付けられることを特徴とする請求の範囲第１項記載の放電灯点灯装置。
【請求項４】
前記円弧状ボビンの溝は、略一定間隔で外拡りに形成したことを特徴とする請求の範囲第１項記載の放電灯点灯装置。
【請求項５】
前記ボビンの溝の一部に１次コイルを残りの溝に２次コイルを並列的に１重巻きした請求の範囲第１項記載の放電灯点灯装置。
【請求項６】
複数の線材を束ねて構成した１次コイルと、前記複数の線材のうちの１本から構成した２次コイルとを、前記ボビンの溝に巻きつけたことを特徴とする請求の範囲第１項記載の放電灯点灯装置。
【発明の詳細な説明】
技術分野
この発明は、車両用前照灯装置等に適用される放電灯点灯装置に関するものである。
背景技術
メタルハライドランプ等の放電灯を光源とした車両用前照灯装置等に適用される放電灯点灯装置の回路構成は、第１図に示すように、バッテリ１を電源とし、この電源の直流出力を交流に変換するとともに、放電灯２が必要とする電圧および電力を制御し安定化するインバータ回路３と、放電灯２を起動するために必要な高電圧例えば２０ＫＶを発生させるためのイグナイタ回路４と高電圧発生用トランス５を有する起動装置６とを備えている。
次に動作について説明する。
放電灯２を点灯する場合、図示しない電源スイッチを閉じて電源１の直流出力をインバータ回路３に供給すると、このインバータ回路３は直流を交流に変換して起動装置６に供給する。起動装置６は入力された交流に基づいてイグナイタ回路４と高電圧発生用トランス５によって、高電圧例えば２０ＫＶを発生させ、この高電圧を放電灯２に印加して起動させ、起動後は放電灯２に規定された電力例えば３０Ｗを供給するように、上記インバータ回路３を制御して放電を維持させるものである。
上記のように放電灯２を起動するためには、２０ＫＶの高電圧を印加する必要があるため、高電圧を発生する起動装置６、つまり、イグナイタ回路４と高電圧発生用トランス５には使用者が直接触れないようにしておくことが必要である。そこで、起動装置６を、放電灯２を装着するソケット部に一体に組み付けることが行われている。
この場合、起動装置６をソケット部分の軸線上に一体に組み付けると、ソケット部の後方に大きな出っ張りが生じ、起動装置６を一体に組み付けたソケット部を着脱して行う放電灯２の交換作業が、車体との間の空間が狭いことから作業性が悪いものであった。
そこで、第２図に示すように、形状の大きな閉磁路コアを有する高電圧発生用トランス５をソケット７内のソケット部７ａの外周に設け、イグナイタ回路４の構成部品をソケット部の後部に設けたもの、あるいは第３図に示すように、閉磁路コアを有する高電圧発生用トランス５をソケット７内のソケット部７ａの外周に設け、この高電圧発生用トランスの外周にイグナイタ回路４の構成部品を設けたものが例えば特開平８−３１５６３０号公報に示されている。
従来の放電灯点灯装置は以上のように構成されているので、ソケット部を着脱する際の高電圧に対する安全性は確保されるが、第２図に示す構成では、まだ、イグナイタ回路４の構成部品の組み付け部分だけソケット７の後部が出っ張り、また第３図に示す構成では、薄型にはなるが、ソケット７が大径になり、ソケットの小型化、薄型化を達成できない。しかも、従来の高電圧発生用トランス５は閉磁路コアを用いているため、磁束は流れやすい反面インダクタンスが高いため、放電灯２に供給する例えば４００Ｈｚ矩形波の切り替わり点イにおいて、第４図（ａ）に示すように、電流の流れない時間が生じ、一瞬放電灯が消灯する。そして、電圧が上昇した時点において再び電流が流れ、この時大きなリプル電流が流れ、そのエッジにおいて電磁波（ラジオノイズ）が発生し易いという課題があった。
この発明は上記のような課題を解決するためになされたもので、ソケットを小型かつ薄型に構成し、負荷である放電灯に十分な電力を供給することのできる放電灯点灯装置を得ることを目的とする。
また、高電圧発生用トランスのコアに生じる渦電流を低減して、高周波性を良くして効率の向上を図ることを目的とする。
また、ボビン成型時における型抜きの容易化を図ることを目的とする。
また、コイル間の耐電圧確保が確実に得られるとともに、ボビンに対する１次コイル、２次コイルの巻き付け作業性の向上を図ることを目的とする。
また、１次コイル、２次コイルを同一の線材によって連続巻きを行い、巻き線工程の簡略化と線材の入手および取扱の容易化を図ることを目的とする。
発明の開示
この発明は、放電灯を装着するソケット部と、このソケット部の外周部に配設した円弧状コアを有する高電圧発生用トランスと、前記ソケット部の外周部に前記高電圧発生用トランスとともに該ソケット部を囲むように同心円弧状に配設した高電圧発生用回路手段とを備えたもので、ソケットを小型かつ薄型に構成することができる。しかも、円弧状コアを有する高電圧発生用トランスは閉磁路コアを用いた場合に比べてインダクタンス成分が小さく、効率の向上を図ることができ、負荷としての放電灯に十分な電力を供給することができる。
また、この発明は、円弧状に折り曲げた積層コアと、この積層コアの外表面に施したボビンと、このボビンに巻き付けた１次および２次コイルとを高電圧発生用トランスの基本構成体とするもので、積層コアによって該積層コア内に生じる渦電流を少なくして高周波特性を良くして効率の向上を図り、しかも、ボビンによって、コアとコイル間の耐電圧を確実に確保することができる。
また、この発明は、円弧状の積層コアに施したボビンの外周面に、略一定間隔で複数のコイル巻き付け溝を外拡りに形成したので、ボビン成型時における型抜きを容易化できる。
また、この発明は、ボビンに形成された複数のコイル巻き付け溝の一部に１次コイルを、残りのコイル巻き付け溝に２次コイルを並列的に１重巻きしたことにより、コイル間の耐電圧確保が確実に得られるとともに、巻き線工程が簡略化される。
また、この発明は、複数の線材を束ねて１次コイルとし、前記線材の１本を２次コイルとしたもので、１次コイルに大電流を流すことができるとともに、１次コイルと２次コイルを同じ線材によって連続して巻くことができ、コイルの巻き線工程の簡略化を図ることができる。
発明を実施するための最良の形態
以下、この発明をより詳細に説明するために、この発明を実施するための最良の形態について、添付の図面に従ってこれを説明する。
実施の形態１．
第５図はこの発明の放電灯点灯装置を示す分解斜視図であり、１１は放電灯、１２は放電灯１１の口金部１１ａを装着するソケットであり、後述するソケット、高電圧発生用トランス、高電圧発生用回路手段としてのイグナイタ回路構成部品を組み込んでいる。
１３は直流を交流に変換するインバータ回路等を含む給電回路部、１４は給電回路部１３の装着口１３ａに差し込むプラグ、１５は一端にプラグ１４を取り付け他端をソケット１２内の回路端子に接続したリード線、１６は一端を給電回路部１３に接続し他端に電源接続用のプラグ１７を有するリード線である。
第６図は放電灯１１を取り付け、高電圧発生用トランス１８とイグナイタ回路構成部品１９を組み込んだソケット１２の縦断面図、第７図はそのソケット１２から蓋１２ｂを取り外した側面図である。このソケット１２はソケット部１２ａと蓋１２ｂを基本構成とし、ソケット部１２ａの内部中央にはソケット電極（図示せず）を取り付ける電極取り付け部１２ａ−１が形成され、この電極取り付け部１２ａ−１に対向して、放電灯１１の口金部１１ａを装着する装着口１２ａ−２が形成されている。また、電極取り付け部１２ａ−１の外周部には、略１２０°の範囲に円弧状の積層コアを有する高圧発生用トランス１８の収納空間２０と、この収納空間２０と同心状にイグナイタ回路構成部品１９の組み込み空間２１が形成されており、高電圧発生用トランス１８とイグナイタ回路構成部品１９の組み込み後、ソケット部１２ａに蓋１２ｂを取り付けていることにより、イグナイタ回路構成部品１９を取り付け基板２２で抑圧保持する。
第８図は高電圧発生用トランスの説明図であり、（ａ）に示すように例えば０．１ｍｍの珪素鋼板の複数枚を積層して円弧状に折り曲げ、あるいは複数枚の円弧状に折り曲げた珪素鋼板を積層して積層コア２３を作成する。
次いで、（ｂ）に示すように積層コア２３の外部にインサート成型によりボビン２４を成型する。この成型時、このボビン２４の円弧状内面を除く３面、つまり、両側面と外面に略一定間隔で複数のコイル巻き付け溝２４ａを外拡りに形成する。
そして、（ｃ）に示すように、ボビン２４のコイル巻き付け溝２４ａの一部に１次コイル２５を、残りのコイル巻き付け溝２４ａに２次コイル２６を並列的に１重巻きする。巻き付けたコイルは溝壁によって、左右への移動が確実に阻止される。この場合、巻き付けるコイルは、第９図に示すように、１次コイル２５については線材２７の複数本を束ねて巻き付け、２次コイル２６については線材２７をそのまま巻き付けるもので、この結果、同一線材２７によって、１次コイル２５と２次コイル２６を連続して巻き付けることができる。
次に動作について説明する。
放電灯１１を点灯する場合、図示しない電源スイッチを閉じて図示しない電源から直流出力を給電回路部１３のインバータ回路に供給すると、このインバータ回路は直流を交流に変換してイグナイタ回路構成部品１９に供給する。イグナイタ回路構成部品１９は入力された交流を高電圧発生用トランス１８の１次コイル２５に流すことにより、２次コイル２６に高電圧例えば２０ＫＶを発生させ、この高電圧をソケット電極を介して放電灯２に印加して該放電灯を起動させ、起動後は放電灯２に規定された電力例えば３０Ｗを供給するように上記給電回路部１３が動作して放電を維持させる。
この場合、高電圧発生用トランス１８は円弧状の開磁路コアを用いているので、磁束が通りにくく、インダクタンスが小さいため、第４図（ｂ）に示すように、放電灯２に流れる例えば４００Ｈｚ矩形波電流は途切れることなく流れ、従って、電流リップルに基づく電磁波発生も少ないものである。
以上のように、この実施の形態１によれば、ソケット１２内のソケット部１２ａの外周部に高電圧発生用トランス１８を設け、この高電圧発生用トランス１８と同心円弧状にイグナイタ回路構成部品１９を配置したので、ソケット１２の後部への出っ張りを生じることがなく、また、ソケットの径を増大させることもなく、高電圧発生用トランス１８とイグナイタ回路構成部品１９を一体に組み付けて、高電圧に対する安全性を確保するとともに、ソケット１２を小型、薄型に構成することができる。
また、ソケット１２に組み込む高電圧発生用トランス１８は、開磁路を形成する円弧状コアを用いたので、通常の閉磁路コアを用いた場合に比べて、インダクタンス成分を小さくすることができ、電磁波発生を少なくできるとともに、負荷としての放電管に十分な電力を容易に供給することができる。また、積層珪素コアを用いているので、コアに流れる渦電流を小さくすることができ、高周波特性を良くすることができる。
また、ボビン２４には、少なくとも円弧状の内面を除く両側面及び外面に複数のコイル巻き溝を外拡がりに形成したので、成型後における型抜きが容易にできる。
また、このボビン２４のコイル巻き付け溝２４ａの一部に１次コイル２５を、残りのコイル巻き付け溝２４ａに２次コイル２６を並列的に１重巻きしたので、１次、２次の層間絶縁が不要となり、１次、２次を重ね巻きする場合に比べて巻き線工程を簡略化することができる。
また、線材を複数本束ねて１次コイルとし、その線材自体を２次コイルとしたので、１次コイルに大電流を容易に流すことができるとともに、１次コイルと２次コイルを同じ線材によって連続して巻くことができ、コイルの巻き線工程の簡略化を図ることができる。そして、１次コイル、２次コイルに同一線材を用いるので、線材の入手および取扱を容易化できる。
産業上の利用可能性
以上のように、この発明に係る放電灯点灯装置は、ソケット部の外周に、高電圧発生用トランスと基板に取り付けた高電圧発生用回路構成部品とをソケット部を囲むように同心状に配置したもので、高電圧に対する安全性を確保し、ソケットを小型、薄型に構成することができる。
【図面の簡単な説明】
第１図は放電灯に対する給電回路図、第２図は高電圧発生用トランスとイグナイタ回路構成部品を組み込んだ従来のソケット部の縦断面図、第３図は高電圧発生用トランスとイグナイタ回路構成部品を組み込んだ従来の他のソケット部の縦断面図、第４図は高電圧発生用トランスのインダクタンスの大小による放電灯の電圧、電流の波形図、第５図はこの発明の放電灯点灯装置を示す分解斜視図、第６図は放電灯を取り付け、高電圧発生用トランスとイグナイタ回路構成部品を組み込んだソケット部の縦断面図、第７図は蓋を取り外した側面図、第８図は高電圧発生用トランスの説明図であり、（ａ）は積層コアの斜視図、（ｂ）は積層コアの外面にボビンを成型した斜視図、（ｃ）はボビンに１次コイル、２次コイルを施した高電圧発生用トランスの斜視図、第９図は１次コイルと２次コイルの巻き線状態を示す説明図である。
【図１】
0004230112.tif 000002
【図２】
0004230112.tif 000003
【図３】
0004230112.tif 000004
【図４】
0004230112.tif 000005
【図５】
0004230112.tif 000006
【図６】
0004230112.tif 000007
【図７】
0004230112.tif 000008
【図８】
0004230112.tif 000009
【図９】
0004230112.tif 000010